(57)【要約】【課題】袋体の取り外し時の生活廃棄物の処理作業を容易にする生活廃棄物処理用キット、生活廃棄物処理器具及び生活廃棄物の処理方法を提供する。【解決手段】生活廃棄物処理器具１を、袋体２と、袋体２を支持する便座３と、便座３を支持するバケツ４と、袋体２に収納される生分解性組成物５と、バケツ４の底面に載置され上方に延びて袋体２と当接する当接部材６と、を備える構成にする。袋体２を、袋体２の底部２２と当接部材６の天板６２とが当接するように吊り下げ、断面逆Ｍ字状に形成し、周壁部２３における底部２２の周囲の部分に底部２２より下方に位置する第二の底部２４を形成する。第二の底部２４に、生分解性組成物５を配置する。【選択図】図１
2012245110.tif 000002
【特許請求の範囲】
【請求項１】
挿通孔又は切り欠き部を有して支持本体に支持される袋体支持部材と、
前記支持本体の底面又は前記支持本体が設置される設置面に、上方に延びて配置される当接部材と、
一端に開口部を有し、他端に閉塞した底部を有し、前記開口部から前記底部に向かって形成された周壁部を有し、前記袋体支持部材又は／及び前記袋体支持部材を支持する支持本体に掛止され、前記開口部と前記挿通孔又は前記切り欠き部の内側とが連通するとともに前記底部と前記当接部材の上端部とが当接して吊り下げられて、前記周壁部における前記底部の周囲の部分が前記底部より下方に位置する第二の底部が形成される袋体と、
を備えることを特徴とする生活廃棄物処理用キット。
【請求項２】
一端に開口する開口部を有し、他端に閉塞した底部を有し、前記開口部から前記底部に向かって形成された周壁部を有する袋体と、
挿通孔又は切り欠き部を有する袋体支持部材と、
該袋体支持部材を支持する支持本体と、
を備える生活廃棄物処理器具であって、
前記支持本体の底面又は前記支持本体が設置される設置面に配置されて、上方に延びる前記袋体と当接する当接部材を備え、
前記袋体は、前記袋体支持部材又は／及び前記袋体支持部材を支持する前記支持本体に掛止され、前記袋体の前記開口部と前記挿通孔又は前記切り欠き部の内側とが連通するとともに前記袋体の前記底部と前記当接部材の上端部とが当接して吊り下げられて、前記周壁部における前記底部の周囲の部分が前記底部より下方に位置する第二の底部が形成されていることを特徴とする生活廃棄物処理器具。
【請求項３】
該第二の底部には、生分解性組成物が配置されていることを特徴とする請求項２記載の生活廃棄物処理器具。
【請求項４】
前記袋体の前記周壁部が、前記開口部から前記底部に向かって狭小に形成され又は前記周壁部のいずれかの部分から前記底部に向かって狭小に形成されていることを特徴とする請求項２又は３記載の生活廃棄物処理器具。
【請求項５】
前記袋体は、生分解性ポリマーで形成されていることを特徴とする請求項２、３又は４記載の生活廃棄物処理器具。
【請求項６】
前記第二の底部に配置される生分解性組成物を備えることを特徴とする請求項１記載の生活廃棄物処理用キット。
【請求項７】
前記袋体の前記周壁部が、前記開口部から前記底部に向かって狭小に形成され又は前記周壁部のいずれかの部分から前記底部に向かって狭小に形成されていることを特徴とする請求項１又は６記載の生活廃棄物処理用キット。
【請求項８】
一端に開口部を有し、他端に閉塞した底部を有し、前記開口部から前記底部に向かって形成された周壁部を有する袋体を、挿通孔又は切り欠き部を有した袋体支持部材、又は／及び、前記袋体支持部材を支持する支持本体で掛止するとともに、前記袋体の前記開口部と前記挿通孔又は前記切り欠き部の内側とが連通するように前記袋体を吊り下げ、
該支持本体の底面又は前記支持本体が設置される設置面に、上方に延びる当接部材を配置し、
前記袋体の前記底部と前記当接部材の上端部とを当接させつつ、前記周壁部における前記底部の周囲の部分を前記当接部材の上端部よりも下方に吊り下げて、前記袋体の前記周壁部に前記底部より下方に位置する第二の底部を形成し、
前記第二の底部に生活廃棄物を落下させた後、前記袋体を持ち上げ、前記生活廃棄物を前記周壁部に沿って前記底部に向かうように移動させることを特徴とする生活廃棄物の処理方法。
【請求項９】
前記第二の底部を形成した後、前記第二の底部に生分解性組成物を配置し、
前記袋体を持ち上げた時に、前記生分解性組成物を前記周壁部に沿って前記生活廃棄物に被せるように移動させることを特徴とする請求項８記載の生活廃棄物の処理方法。
【請求項１０】
前記袋体は、生分解性ポリマーで形成されたものが用いられていることを特徴とする請求項８又は９記載の生活廃棄物の処理方法。
【請求項１１】
前記第二の底部に前記生活廃棄物を落下させた後前記袋体を持ち上げる前に、前記第二の底部に生分解性組成物を配置することを特徴とする請求項８記載の生活廃棄物の処理方法。
【請求項１２】
前記生活廃棄物が収納された前記袋体を、生分解性廃棄物処理装置で処理することを特徴とする請求項８、９、１０又は１１記載の生活廃棄物の処理方法。
【発明の詳細な説明】
【技術分野】
【０００１】
本発明は、生活廃棄物処理用キット、生活廃棄物処理器具及び生活廃棄物の処理方法に関するもので、特に災害発生時に生ゴミ、糞尿等を処理できるものに関するものである。
【背景技術】
【０００２】
従来の簡易トイレとして、特許文献１に記載されるものがあった。上記の簡易トイレは、内側に空間が設けられた便座支持台と、用便用開口部を有し便座支持台の上端に着脱自在に取り付けられる便座と、便座支持台の内側の空間内に配置され、上端の開口部を便座の用便用開口部に連通させて上端縁を便座支持台の上端に着脱自在に装着される便収容袋と、を備え、便座支持台の空間の下部には、便収容袋の底部を一方側が他方側より低くなるように傾斜させて支える受板が設けられていた。
【０００３】
便収容袋内に排泄された汚物は低い側に流動して集合する。そして、集合した汚物上に高分子吸収剤を散布することにより、汚物を凝固させて、廃棄処理をすることとなっていた。
【先行技術文献】
【特許文献】
【０００４】
【特許文献１】特開２００７−２０９６９２号公報
【発明の概要】
【発明が解決しようとする課題】
【０００５】
しかし、上記の簡易トイレにおいては、便収容袋の底部の偏心した位置に汚物が集合するため、便収容袋を取り外す際、便収容袋内の汚物が流動するため処理作業がしにくくなるという問題があった。
【０００６】
本発明は、上記事情に鑑み、便収容袋の取り外し時の生活廃棄物の処理作業を容易にする生活廃棄物処理用キット、生活廃棄物処理器具及び生活廃棄物の処理方法を提供するものである。
【課題を解決するための手段】
【０００７】
請求項１記載の発明では、挿通孔又は切り欠き部を有して支持本体に支持される袋体支持部材と、支持本体の底面又は支持本体が設置される設置面に、上方に延びて配置される当接部材と、一端に開口する開口部を有し、他端に閉塞した底部を有し、開口部から底部に向かって形成された周壁部を有し、袋体支持部材又は／及び袋体支持部材を支持する支持本体に掛止され、開口部と挿通孔又は切り欠き部の内側とが連通するとともに底部と当接部材の上端部とが当接して吊り下げられて、周壁部における底部の周囲の部分が底部より下方に位置する第二の底部が形成される袋体と、を備える生活廃棄物処理用キットとしている。
【０００８】
これにより、既存のバケツ等の支持本体と組み合わせて使用することで、袋体を上に持ち上げるだけで袋体の生活廃棄物が周壁部に沿って底部に移動して集合するので、袋体取り外し時の生活廃棄物の処理作業を容易にすることができる。
【０００９】
請求項２記載の発明では、支持本体の底面又は支持本体が設置される設置面に配置されて、上方に延びる袋体と当接する当接部材を備え、袋体は、袋体支持部材又は／及び袋体支持部材を支持する支持本体に掛止され、袋体の開口部と挿通孔又は切り欠き部の内側とが連通するとともに袋体の底部と当接部材の上端部とが当接して吊り下げられて、周壁部における底部の周囲の部分が底部より下方に位置する第二の底部が形成される、生活廃棄物処理器具としている。
【００１０】
これにより、袋体を上に持ち上げるだけで袋体の生活廃棄物が周壁部に沿って底部に移動して集合するので、袋体取り外し時の生活廃棄物の処理作業を容易にすることができる。
【００１１】
請求項３記載の発明のように、第二の底部に、生分解性組成物を配置すれば、請求項２記載の発明の効果に加え、生分解性組成物が周壁部に沿って生活廃棄物に被さるように移動するので、悪臭を遮断することができる。
【００１２】
請求項４記載の発明のように、生活廃棄物処理器具において、袋体の周壁部を、開口部から底部に向かって狭小に形成して又は周壁部のいずれかの部分から底部に向かって狭小に形成すれば、周壁部に上下方向に対して傾斜が生じるので、生活廃棄物の底部への移動又は生活廃棄物の底部への移動及び生分解性組成物の生活廃棄物に被さる移動を円滑にすることができる。
【００１３】
請求項５記載の発明のように、袋体を生分解性ポリマーで形成すれば、袋体ごと土壌に埋めて生活廃棄物を処理することができる。
【００１４】
請求項６記載の発明のように、請求項１記載の生活廃棄物処理用キットにおいて、第二の底部に配置される生分解性組成物を備えるようにすれば、生分解性組成物が周壁部に沿って生活廃棄物に被さるように移動するので、悪臭を遮断することができる。
【００１５】
請求項７記載の発明のように、請求項１又は６記載の生活廃棄物処理用キットにおいて、袋体の周壁部を、開口部から底部に向かって狭小に形成する又は周壁部のいずれかの部分から底部に向かって狭小に形成すれば、周壁部に上下方向に対して傾斜が生じるので、生活廃棄物の底部への移動又は生活廃棄物の底部への移動及び生分解性組成物の生活廃棄物に被さる移動を円滑にすることができる。
【００１６】
請求項８記載の発明では、支持本体の底面又は支持本体が設置される設置面に、上方に延びる当接部材を配置し、袋体の底部と当接部材の上端部とを当接させつつ、周壁部における底部の周囲の部分を当接部材の上端部よりも下方に吊り下げて、袋体の周壁部に底部より下方に位置する第二の底部を形成する。
【００１７】
そして、第二の底部に生活廃棄物を落下させた後、袋体を持ち上げ、生活廃棄物を周壁部に沿って底部に向かうように移動させる。
【００１８】
これにより、袋体を上に持ち上げるだけで袋体の生活廃棄物が周壁部に沿って底部に移動して集合するので、袋体取り外し時の生活廃棄物の処理作業を容易にすることができる。
【００１９】
請求項９記載の発明のように、第二の底部を形成した後、第二の底部に生分解性組成物を配置し、袋体を持ち上げた時に、生分解性組成物を前記周壁部に沿って生活廃棄物に被せるように移動させれば、悪臭を遮断することができる。
【００２０】
請求項１０記載の発明のように、生分解性ポリマーで形成した袋体を用いれば、袋体ごと土壌に埋めて生活廃棄物を処理することができる。
【００２１】
請求項１１記載の発明のように、請求項８記載の発明において、第二の底部に生活廃棄物を落下させた後、袋体を持ち上げる前に、第二の底部に生分解性組成物を配置することによっても、悪臭を遮断することができる。
【００２２】
請求項１２記載の発明では、生活廃棄物が収納された袋体を、生分解性廃棄物処理装置で処理すれば、迅速に生活廃棄物を処理することができる。
【発明の効果】
【００２３】
本発明の生活廃棄物の処理方法及び生活廃棄物処理器具では、袋体を上に持ち上げるだけで生活廃棄物を覆い隠すとともに、悪臭を遮断することができる。
【図面の簡単な説明】
【００２４】
【図１】本発明における第一の実施形態の生活廃棄物処理器具の断面図である。
【図２】本発明における第一の実施形態の生活廃棄物処理器具の分解斜視図である。
【図３】本発明における生活廃棄物処理器具を用いた生活廃棄物の処理方法の（ａ）生活廃棄物を落下させた状態、（ｂ）袋体を持ち上げ途中の状態、（ｃ）袋体を持ち上げ完了した状態、の説明図である。
【図４】袋体をバケツの上端部で係止した状態の断面図である。
【図５】本発明における第二の実施形態の生活廃棄物処理器具の斜視図である。
【図６】図５におけるＨ−Ｈ間の断面図である。
【図７】袋体を重ねて使用する時の使用状態図である。
【図８】図５における便座の変形例の斜視図である。
【図９】袋体の変形例における（ａ）円筒状、（ｂ）角筒状、（ｃ）周壁部が狭小かつ底部が円形状、に形成された斜視図である。
【発明を実施するための形態】
【００２５】
本発明における生活廃棄物処理器具の第一の実施形態を図面に基づいて説明する。以下の説明において、図１における上下を、上下方向とする。
【００２６】
生活廃棄物処理器具１は、図１、２に示すように、袋体２と、袋体２を支持する便座３（袋体支持部材に相当する。）と、便座３を支持するバケツ４（支持本体に相当する。）と、袋体２に収納される生分解性組成物５と、バケツ４の底部４１の上面に載置され上方に延びて袋体２と当接する当接部材６と、を備えている。
【００２７】
袋体２は、生分解性ポリマーで形成され、一端に開口する開口部２１を有し、他端に閉塞した底部２２を有し、開口部２１から底部２２に向かって狭小に形成された周壁部２３を有する。周壁部２３は、開口部２１から底部２２に向かって次第に狭小となるように形成されている。
【００２８】
便座３は、メタクリル樹脂製で円盤状に形成され、中央部分にダルマ形状の挿通長孔３１を有している。
【００２９】
バケツ４は、円盤状の底部４１と、略円筒状に形成された周壁部４２と、を有している。
【００３０】
生分解性組成物５は、粒状に形成され生分解性を有するおがくずが用いられている。
【００３１】
当接部材６は、合成樹脂で形成され、バケツ４の底部４１に載置される平板状のベース板６１と、袋体２と当接する平板状の天板６２と、ベース板６１と天板６２とを連結する円筒状の支柱６３と、を備えている。天板６２は、平面視における面積をベース板６１より小さく形成されている。
【００３２】
袋体２は、底部２２側から挿通長孔３１に挿入され、便座３の上面、便座３の外周縁、を経てバケツ４の周壁部４２の内側に到るまで袋体２の周壁部２３が配置され、周壁部２３の上部で便座３の下面とバケツ４の上端面とに挟み込まれて掛止されている。袋体２は、開口部２１を開口させて開口部２１と挿通長孔３１の内側とが連通するとともに袋体２の底部２２と当接部材６の天板６２とが当接して吊り下げられて断面逆Ｍ字状に形成され、周壁部２３における底部２２の周囲の部分に、袋体２の周壁部２３に底部２２より下方に位置する第二の底部２４が形成されている。
【００３３】
第二の底部２４は、平面視において当接部材６の天板６２を中心とする円環状に形成されている。第二の底部２４には、生分解性組成物５が配置されている。
【００３４】
本発明の生活廃棄物処理器具１を用いた生活廃棄物７の処理方法の説明をする。
【００３５】
設置面Ｆに便座３を支持するバケツ４を設置する。袋体２を、底部２２側から挿通長孔３１に挿入して、便座３の上面、便座３の外周縁、を経てバケツ４の周壁部４２の内側に到るまで周壁部２３の上部を配置して、便座３の下面とバケツ４の上端面とで周壁部２３の上部を挟み込むことにより、掛止するとともに、開口部２１を開口させて、開口部２１と挿通長孔３１の内側とが連通するように吊り下げる。
【００３６】
そして、バケツ４の底部４１に、上方に延びる当接部材６を載置する。
【００３７】
さらに、袋体２を、袋体２の底部２２と当接部材６の天板６２とを当接させつつ、断面逆Ｍ字状に形成され、周壁部２３における底部２２の周囲の部分を、当接部材６の天板６２よりも下方に吊り下げて、袋体２の周壁部２３に底部２２より下方に位置する第二の底部２４を形成して、第二の底部２４に生分解性組成物５を配置する。
【００３８】
第二の底部２４に生活廃棄物７を落下させた後、袋体２を持ち上げ、生活廃棄物７を周壁部２３に沿って底部２２に向かうように移動させるとともに生分解性組成物５を周壁部２３に沿って生活廃棄物７に被せるように移動させる。
【００３９】
詳細に説明すれば、袋体２を持ち上げることで周壁部２３から生分解性組成物５が平面視における袋体２の底部２２方向に滑り落ちる。それと同時に円環状に形成された第二の底部２４は、平面視における半径を徐々に縮小させていく。この過程で生活廃棄物７は、平面視における袋体２の底部２２方向に移動することになる、袋体２の底部２２と当接部材６とが離れて、袋体２の底部２２に生活廃棄物７が移動したときには、袋体２の周壁部２３から滑り落ちた生分解性組成物５が、生活廃棄物７の上側に覆いかぶさった状態となる。
【００４０】
そして、生活廃棄物７が収納された袋体２を土壌内に埋めて生分解させる。なお、生活廃棄物７が収納された袋体２を、生分解性廃棄物処理装置で処理すれば、生活廃棄物７の処理速度を速めることができる。
【００４１】
なお、周壁部２３を、開口部２１から底部２２に向かって周壁部２３が次第に狭小となるように形成すれば、周壁部２３に上下方向に対して傾斜が生じるので、生活廃棄物７の底部２２への移動と、生分解性組成物５の生活廃棄物７に被さる移動とを円滑にすることができる。
【００４２】
生活廃棄物処理器具１では、バケツ４の底部４１に載置され、上方に延びて袋体２と当接する当接部材６を備える構成とし、袋体２を、底部２２側から挿通長孔３１に挿入して、便座３の上面、便座３の外周縁、を経てバケツ４の周壁部４２の内側に到るまで袋体２の周壁部２３の上部を配置して、周壁部２３の上部において便座３の下面とバケツ４の上端面とで挟み込んで掛止して、開口させた袋体２の開口部２１と挿通長孔３１内側と連通させるとともに袋体２の底部２２と当接部材６の天板６２とを当接させて吊り下げ、周壁部２３における底部２２の周囲の部分に底部２２より下方に位置する第二の底部２４を形成している。
【００４３】
これにより、袋体２を上に持ち上げるだけで袋体２の生活廃棄物７が周壁部２３に沿って底部２２に移動して集合するので、袋体２取り外し時の生活廃棄物７の処理作業を容易にすることができる。
【００４４】
また、第二の底部２４に、生分解性組成物５を配置している。これにより、上記の効果に加え、生分解性組成物５が周壁部２３に沿って生活廃棄物７に被さるように移動するので、悪臭を遮断することができる。
【００４５】
また、袋体２の周壁部２３を、開口部２１から底部２２に向かって狭小に形成しているので、生活廃棄物７の底部２２への移動又は生活廃棄物７の底部２２への移動及び生分解性組成物５の生活廃棄物７に被さる移動を円滑にすることができる。
【００４６】
また、袋体２が生分解性ポリマーで形成されているので、袋体２ごと土壌に埋めて生活廃棄物７を処理することができる。
【００４７】
なお、袋体２は、図４に示すように、バケツ４の周壁部４２の上端部で掛止することもできる。
【００４８】
本発明における生活廃棄物処理器具の第二の実施形態を図面に基づいて説明する。以下の説明において、第一の実施形態と同じ構成については、同じ符号を付し説明を省略する。
【００４９】
生活廃棄物処理器具１Ａは、図５に示すように、支持本体として底板９１及び連結柱９２と、袋体支持部材として便座３Ａと、底板９１の上に配置され上方に延びて袋体２と当接する当接部材６Ａと、を備えている。底板９１と連結柱９２、便座３Ａと連結柱９２及び底板９１と当接部材６Ａとは、それぞれ組立分解可能に形成されている。
【００５０】
便座３Ａは、メタクリル樹脂製で円盤状に形成され、中央部分にダルマ形状の挿通長孔３１Ａを有している。便座３Ａの下面側には、連結柱９２が挿入可能に形成された係合部３２Ａが四か所設けられている。
【００５１】
底板９１は、円盤状に形成され、上面側に連結柱９２を挿入可能に形成された係合部９３が四か所設けられている。
【００５２】
連結柱９２は、円柱状に形成され、両端部は底板９１の係合部９３に挿入しやすいように半球状に丸みを帯びて形成されている。本実施形態では四本用いられている。連結柱９２は、上端部が便座３Ａの係合部３２Ａに挿入され、下端部が底板９１の係合部９３に挿入されて、便座３Ａと、底板９１とを連結している。
【００５３】
当接部材６Ａは、円柱状の棒部６３Ａと、円盤状で棒部６３Ａに直交する天板部６２Ａと、を有して一体に形成されている。棒部６３Ａの下端部は、挿入しやすいように半球状に丸みを帯びて形成されている。棒部６３Ａの下端部は、底板９１の略中央部に設けられた挿入部９４に挿入されている。
【００５４】
袋体２は、図６に示すように、底部２２側から挿通長孔３１Ａに挿入され、便座３Ａの上面、便座３Ａの外周縁、を経て便座３Ａの係合部３２Ａの内側に到るまで袋体２の周壁部２３が配置され、周壁部２３の上部で便座３Ａの係合部３２Ａと連結柱９２の上端部とに挟み込まれて掛止されている。袋体２は、底部２２側から挿通長孔３１に挿入され、便座３の上面、便座３の外周縁、を経てバケツ４の周壁部４２の内側に到るまで袋体２の周壁部２３が配置され、周壁部２３の上部で便座３の下面とバケツ４の上端面とに挟み込まれて掛止されている。
【００５５】
生活廃棄物処理器具１Ａは、第一の実施形態の生活廃棄物処理器具１の効果に加え、平時において自治体等の収納倉庫に分解して保管することができる。また、キャンプや登山等の移動を伴う時に分解搬送することができる。
【００５６】
図１状態から、袋体２をさらに被せ、図７に示すように、第二の底部２４に生分解性組成物５を配置して多層構造にして、生活廃棄物７を処理するごとに袋体２を持ち上げて外して次の処理をするようにすることもできる。
【００５７】
また、生分解性ポリマーで形成した袋体２を用いれば、袋体２ごと土壌に埋めて生活廃棄物７を処理することができる。
【００５８】
また、生活廃棄物７が収納された袋体２を、生分解性廃棄物処理装置で処理すれば、迅速に生活廃棄物７を処理することができる。
【００５９】
便座３、３Ａの変形例として、図８の便座３Ｂに示すように、便座３、３Ａにおける挿通長孔３１、３１Ａを便座３、３Ａの外周縁と連続させて切り欠き部３３として形成すれば、男性の小用時に便座３Ｂの上面に尿が当たって飛び散ることを軽減することができる。この場合、袋体２は、図６に示す生活廃棄物処理器具１Ａと同様に掛止してもよいし、袋体２を、底部２２側から挿通長孔３１に挿入して、便座３の上面、便座３の外周縁、を経て便座３の外周縁の周辺の便座３の下面に到るまで袋体２の周壁部２３を配置して、便座３Ａの外周縁部で掛止するようにしてもよい。
【００６０】
袋体２は、図９（ａ）に示す袋体２Ｘのように、周壁部２３Ｘを開口部２１Ｘから底部２２Ｘに向かって次第に狭小となるように形成せず、底部２２Ｘが上下方向から見て円形である円筒状に形成することができる。この場合、持ち上げ時に底部２２Ｘがテーパ状となるように、少なくとも底部２２Ｘが可撓性を有するようにすることが望ましい。
【００６１】
袋体２は、図９（ｂ）に示す底部２２Ｙのように、周壁部２３Ｙを開口部２１Ｙから底部２２Ｙに向かって次第に狭小となるように形成せず、底部２２Ｙが平面視において矩形形である角筒状に形成することができる。この場合、持ち上げ時に底部２２Ｙがテーパ状となるように、少なくとも底部２２Ｙが可撓性を有するようにすることが望ましい。
【００６２】
袋体２は、図９（ｃ）に示すように、周壁部２３Ｚを開口部２１Ｚから底部２２Ｚに向かって次第に狭小となるように形成して、底部２２Ｚが平面視において円形である円錐台形状に形成することができる。
【００６３】
袋体２、２Ｘ、２Ｙ、２Ｚは、開口部２１、２１Ｘ、２１Ｙ、２１Ｚと、底部２２、２２Ｘ、２２Ｙ、２２Ｚとの間の、周壁部２３、２３Ｘ、２３Ｙ、２３Ｚのいずれかの部分から底部２２に向かって次第に狭小となるように形成することができる。
【００６４】
袋体２は、図２に示すように、開口部２１から底部２２に向かって次第に狭小となるように形成されているが、当接部材６、６Ａの上端部と当接して、第二の底部２４を形成できるものであれば、これに限定するものではない。例えば、周壁部２３を側面視において左右方向のいずれか一方の端部が次第に狭小となるように形成して、第二の底部２４が平面視において半円環状となるように形成してもよい。
【００６５】
袋体２は、周壁部２３を、周壁部２３のいずれかの部分から底部２２に向かって狭小に形成することによっても、周壁部に上下方向に対して傾斜が生じるので、生活廃棄物７の底部２２への移動又は生活廃棄物７の底部２２への移動及び生分解性組成物５の生活廃棄物７に被さる移動を円滑にすることができる。
【００６６】
袋体２は、市販されているビニール袋等を用いることができるが、より望ましくは、でんぷん、食物繊維、パルプ、綿、紙、おから、コーヒー豆等を繊維状にしたものを用いることができる。
【００６７】
生分解性組成物５は、生分解性を有するものであれば上述したものにこだわらない、例えば、でんぷん、食物繊維、パルプ、綿、紙、おから、コーヒー豆等を粒状物にしたものを用いることができる。
【００６８】
当接部材６は、天板６２を用いることにはこだわらない。袋体２の底部２２と当接できる形状であれば、支柱６３の上端部を半球状に形成したり、支柱６３の上端部に水平方向に沿った端面を形成したりしてもよい。
【００６９】
また、支持本体は、バケツ４には、こだわらない。例えば、底部を有さない角筒状、円筒状の周壁部のみ有する部材を支持本体として用いることができる。この場合、ベース板６１を設置面Ｆに直接載置させてもよい。
【００７０】
当接部材６と同様に、当接部材６Ａも天板部６２Ａを形成せずに、棒部６３Ａの上端部を半球状に形成したり、棒部６３Ａの上端部に水平方向に沿った端面を形成したりしてもよい。
【００７１】
また、販売する際の形態として、挿通長孔３１を有して支持本体に支持される便座３と、バケツ４の底部４１に、上方に延びて配置される当接部材６と、一端に開口する開口部２１を有し、他端に閉塞した底部２２を有し、開口部２１から底部２２に向かって形成された周壁部２３を有し、便座３又は／及び便座３を支持するバケツ４に掛止され、開口部２１と挿通長孔３１の内側とが連通するとともに底部２２と当接部材６の天板６２とが当接して吊り下げられて、周壁部２３における底部２２の周囲の部分が底部２２より下方に位置する第二の底部２４が形成される袋体２と、を備える生活廃棄物処理用キットとすることができる。この場合、支持本体を別売りにして、震災避難グッズとして販売の対象とすることができる。また、オプションとして、第二の底部２４に配置される生分解性組成物５を組み合わせることも可能である。
【００７２】
また、本発明の生活廃棄物処理器具１を用いた生活廃棄物７の処理方法の変化例として、第二の底部２４を形成した後、第二の底部２４に生分解性組成物５を配置せずに、第二の底部２４に生活廃棄物７を落下させた後、袋体２を持ち上げる前に、第二の底部２４に生分解性組成物５を配置することによっても、悪臭を遮断することができる。
【００７３】
本発明の生活廃棄物処理器具は、上述した使用態様に限定されるものではない、小型化して車載用トイレとしても使用できるし、介護用トイレとしても使用することもできる。さらに、水道設備のない場所での廃棄物処理装置、登山用トイレとしても使用することができる。
【符号の説明】
【００７４】
１、１Ａ  生活廃棄物処理器具
２、２Ｘ、２Ｙ、２Ｚ  袋体
２１、２１Ｘ、２１Ｙ、２１Ｚ  開口部
２２、２２Ｘ、２２Ｙ、２２Ｚ  底部
２３、２３Ｘ、２３Ｙ、２３Ｚ  周壁部
２４  第二の底部
３、３Ａ  駆動部
３、３Ａ  便座
３１  挿通長孔
４、４Ａ  バケツ
４１  底部
５  生分解性組成物
６、６Ａ  当接部材
６２  天板
６２Ａ  天板部
７  生活廃棄物
８  生分解性廃棄物処理装置
９１  底板
９２  連結柱
Ｆ  設置面
【図１】
2012245110.tif 000003
【図２】
2012245110.tif 000004
【図３】
2012245110.tif 000005
【図４】
2012245110.tif 000006
【図５】
2012245110.tif 000007
【図６】
2012245110.tif 000008
【図７】
2012245110.tif 000009
【図８】
2012245110.tif 000010
【図９】
2012245110.tif 000011